(57)【要約】【課題】  本発明は、使用中にずれたり外れたりすることなく、また装飾性を有する装飾片のみが外から見える襟止めを提供する。【解決手段】  ワイシャツ等の対向する襟１０の両端に係止される襟飾り部材２と、両襟飾り部材２を連結する支持部材３とからなる襟止めであって、該襟飾り部材２を、対辺間で襟２を挟持する略Ｕ字又はコ字形状の挟持具本体４と、該挟持具本体４の一方の辺４１に取り付けられた装飾片９とで構成し、挟持具本体４の他方の辺４２の先端部に螺子孔５を設けて、一端側に押圧体７を他端側に摘み部８を設けた螺子棹６を回転可能に挿通すると共に、該押圧体４を、先端部に細かな凹凸を有する深溝リング部材で構成し、押圧体７と上記一方の辺４１との間で襟１０を挟み付ける構成とした。【選択図】        図１
2006006452.tif 000002
【特許請求の範囲】
【請求項１】
ワイシャツ等の対向する襟の両端に係止される襟飾り部材と、両襟飾り部材を連結する支持部材とからなる襟止めであって、該襟飾り部材を、対辺間で襟を挟持する略Ｕ字又はコ字形状の挟持具本体と、該挟持具本体の一方の辺に取り付けられた装飾片とで構成し、挟持具本体の他方の辺の先端部にネジ孔を設けて、一端側に押圧体を他端側に摘み部を設けたネジ棹を回転可能に挿通すると共に、該押圧体を、先端部に細かな凹凸を有する深溝リング部材で構成し、押圧体と上記一方の辺との間で襟を挟み付けるようにしたことを特徴とする襟止め。
【請求項２】
前記押圧体は、ネジ棹の先端部に遊嵌されていることを特徴とする請求項１に記載の襟止め。
【請求項３】
前記挟持具本体は、その折れ曲がり部から他方の辺にかけて、一方の辺側に略Ｌ字形に突出していることを特徴とする請求項１又は２に記載の襟止め。
【請求項４】
前記装飾片は、前記挟持具本体の一方の辺の外面をその折れ曲がり部を含んで完全に覆っていることを特徴とする請求項３に記載の襟止め。
【請求項５】
前記支持部材は、２本のチェーンで構成されており、該チェーンの各先端部に各々前記挟持具本体を取り付けると共に、一方のチェーンの他端部に止め金具を連接してあることを特徴とする請求項１乃至４の何れかに記載の襟止め。
【発明の詳細な説明】
【技術分野】
【０００１】
本発明は、ワイシャツ等の襟の両端に取り付け、襟の立ち上がりを防止する襟止めに関するものである。
【背景技術】
【０００２】
スーツやブレザー等を着用してネクタイを締める場合、一般的な襟のワイシャツでは、襟元が前身ごろから離れて立ち上がってしまい、見栄えが悪いという欠点があった。
そこで、ネクタイを締めたときに襟元のフィット感やファッション性を損なうことのない襟の形状としては、ボタンダウンやピンホール等の特殊な形態の襟が知られている。
【０００３】
しかしながら、このものは、襟元を前身ごろにボタンで縫着したり襟元に穴を設けたりするなど、襟に特殊な加工を施す必要があり、一般的でなかった。
そこで、襟に特殊な加工を施すことなく通常の襟でも装着でき、使用中に襟が立ち上がることのない襟止めとして、装飾片と、該装飾片の裏面に接離自在に設けられた係止具とよりなる襟飾り部材を鎖の両端にそれぞれ取り付けたことを特徴とするものがあった。
【０００４】
しかしながら、このものは、襟の立ち上がりや広がり、さらにはネクタイの結び目のゆるみを防止できるという効果があったが、襟への係止力が弱く、使用中に襟止めがずれたり外れたりするという欠点があった。
また、襟止めを襟に取り付けたときに、装飾片だけでなく、係止具（Ｕ字形部材）が見えてしまうため、装飾性に欠けるという欠点があった。
【特許文献１】実開平６−３９９２１号公報
【発明の開示】
【発明が解決しようとする課題】
【０００５】
本発明は、以上のような従来の欠点に鑑み、使用中にずれたり外れたりすることがなく、また装飾性を有する装飾片のみが外から見える襟止めを提供することを目的としている。
【課題を解決するための手段】
【０００６】
上記目的を達成するために、本発明は、ワイシャツ等の対向する襟の両端に係止される襟飾り部材と、両襟飾り部材を連結する支持部材とからなる襟止めであって、該襟飾り部材を、対辺間で襟を挟持する略Ｕ字又はコ字形状の挟持具本体と、該挟持具本体の一方の辺に取り付けられた装飾片とで構成し、挟持具本体の他方の辺の先端部にネジ孔を設けて、一端側に押圧体を他端側に摘み部を設けたネジ棹を回転可能に挿通すると共に、該押圧体を、先端部に細かな凹凸を有する深溝リング部材で構成し、押圧体と上記一方の辺との間で襟を挟み付けるようにすることで襟止めを構成している。
【発明の効果】
【０００７】
以上の説明から明らかなように、本発明にあっては次に列挙する効果が得られる。
本発明に係る襟止めでは、ワイシャツ等の対向する襟の両端に係止される襟飾り部材と、両襟飾り部材を連結する支持部材とからなる襟止めであって、該襟飾り部材を、対辺間で襟を挟持する略Ｕ字又はコ字形状の挟持具本体と、該挟持具本体の一方の辺に取り付けられた装飾片とで構成し、挟持具本体の他方の辺の先端部にネジ孔を設けて、一端側に押圧体を他端側に摘み部を設けたネジ棹を回転可能に挿通すると共に、該押圧体を、先端部に細かな凹凸を有する深溝リング部材で構成し、押圧体と上記一方の辺との間で襟を挟み付けるよう構成されているので、襟止めにシャツの襟を挟み込んで摘み部を締め込んだときに、先端部の細かな凹凸が襟に食い込むと共に襟が深溝の内部に落ち込むので、押圧体を襟にしっかり係止することができる。
【０００８】
また、本発明に係る襟止めにおいては、前記押圧体は、ネジ棹の先端部に遊嵌されているので、摘み部を絞め込んでも押圧体そのものは回転しないので、シャツの襟を痛めることはない。
【０００９】
また、本発明に係る襟止めにおいては、挟持具本体の折れ曲がり部から他方の辺にかけて、一方の辺側に略Ｌ字形に突出しており、また挟持具本体の一方の辺の外面は、その折れ曲がり部を含んで装飾片によって完全に覆われているので、襟止めをワイシャツの襟に装着したとき、装飾性を有する装飾片の部分だけが外部から見える。
【００１０】
さらに、本発明に係る襟止めにおいては、支持部材は、２本のチェーンで構成されており、該チェーンの各先端部に各々前記挟持具本体を取り付けると共に、一方のチェーンの他端部に連結部材を取り付けてあるので、各襟止めをシャツ等の両襟に装着した後、両方の襟止めを引き寄せてチェーンで連結することができるので、襟止めの襟への装着が容易にできる。また、チェーンの長さを調節できるので、種々の形状、大きさの襟にも対応できると共に、種々のネクタイの結び目の大きさにも対応することができる。
【発明を実施するための最良の形態】
【００１１】
以下、本発明に係る襟飾りを実施するための最良の形態を、図面に基づいて詳細に説明する。
【００１２】
図１乃至図４において、１は襟止めで、該襟止め１は左右１対の襟飾り部材２と各襟飾り部材２に取り付けられたチェーン３とによって構成されている。
４は挟持具本体で、両端を半円状に形成した細長い板状部材を、後述する装飾片を取り付ける一方の辺４１と他方の辺４２とがほぼ平行になるよう、その中央部において側面視略Ｕ字形又はコ字形に折り曲げた形状をしている。
挟持具本体４の他方の辺４２の端部には螺子孔５が穿設され、該螺子孔５には螺子棹６が回転可能に挿通されている。上記螺子棹６は、その側面全体に螺子が切られており、その一端には押圧体７が、他端には摘み部８が各々設けられている。
【００１３】
上記押圧体７は深溝を有する形状、すなわち一方の端が閉じた縦断面視コ字形状の円筒で、襟に当接する、開いた他端の面には細かな凹凸が形成されている。そして閉じた端面（底板）７１を螺子棹６に取り付けるにあたっては、該端面７１の中央部に孔７２を穿設する一方、螺子棹６の先端を直径の小さい（螺子棹６の直径の約半分から三分の一程度）同心の円柱部６１を連接した形状に加工して、該円柱部６１を上記孔７２に挿通した後、該円柱部６１の先端部を潰して広げることにより、押圧体７を螺子棹６の先端部に遊嵌している。
他方、摘み部８はその側面に刻みを有する円盤状部材で、該摘み部８は螺子棹６の他端に嵌着又は一体に形成されている。
【００１４】
９は装飾片で、該装飾片９は挟持具本体４の一方の辺を、挟持具本体４の折れ曲がり部４３を含めて外面から完全に覆う大きさ、すなわち、本発明の襟飾り１を襟１０に装着したときに、挟持具本体４を完全に隠す幅と長さを有するのものであることが好ましい。なお、実施例において装飾片９の形状を略半楕円球状としたが、形状、デザインは図示したものに限らず、任意のものを採用することができる。
また、上記折れ曲がり部４３のほぼ中央から他方の辺４２のほぼ中央部にかけて、一方の辺４１側に向けて略Ｌ字形に突出するように、言い換えると、階段状に凹ませるよう形成することが好ましい。このように形成することにより、本発明の襟止め１をワイシャツの襟１０に装着したとき、挟持具本体４、特に折れ曲がり部４３が装飾片９に隠れ、該装飾片９の部分だけが外部から見えるので、装飾性が向上する。
【００１５】
本発明の襟止め１を襟１０に装着したときに両装飾片９，９の向かい合う一端には、各々支持部材として長さ約３cmから７cm程度のチェーン３，３の一端が取り付けられている。また、一方のチェーン３の他端には止め金具（図示省略）が連接されている。実施例においては、装飾片９の一端に開孔して、チェーン３の先端の輪をこの孔に通すことによって取り付けているが、チェーン３，３の取り付け場所、取り付け方法は任意で、装飾片９の形状、デザインによっても変わる。また挟持具本体４の折れ曲がり部４３に取り付けても良い。
【００１６】
この止め金具は、例えば細いチューブからなるリングの中に、そのチューブと曲率半径を同じにした円弧状のスライド棒を組み込み、該スライド棒に摘み用突部を設け、この突部を摘んでスライド棒をスライドさせることによって、上記リングに設けた切り欠き部を開閉し、この切り欠き部に他方のチェーン３のいずれかの輪を通すタイプの一般的なものであるが、このタイプの止め金具に限定されるものではない。
【００１７】
この襟止めを使用する場合は次のように行う。
まず、ネクタイ１１を結んだ後、摘み部８を持って押圧体７の端面７１が挟持具本体４の他方の辺４２に当接するまで螺子棹６を回動する。次に挟持具本体４の一方の辺４１と押圧体７の凹凸を有する面（開いた他端の面）との間にシャツの襟１０の先端部を、該襟１０の縁が折れ曲がり部４３に当接するまで差し入れ、螺子棹６を先ほどとは逆回りに回動して、押圧体７を挟持具本体４の一方の辺４１側に押しつけることによって、挟持具本体４の一方の辺４１と押圧体７とによって襟を挟持することができる。ここで、押圧体７先端部の細かな凹凸が襟に食い込むと共に襟が深溝の内部に落ち込むので、該押圧体７、すなわち本発明の襟止め１を襟１０にしっかり係止することができる。また、押圧体７は螺子棹６の先端に遊嵌されているので、摘み部８を絞め込んでも押圧体７そのものは回転しないので、シャツの襟１０を痛めることはない。
【００１８】
そして、両方の襟飾り部材２，２を各々両方の襟１０，１０の先端部に取り付けた後、両方の襟飾り部材２，２を引き寄せながら一方のチェーン３の先端に連接されている止め金具のリングに設けた切り欠き部を開き、ネクタイ１１の下において上記切り欠き部に他方のチェーン３の適宜の位置の輪を通してから切り欠き部を閉じることによって、本発明の襟止め１の襟１０への装着は完了する。このように、チェーン３は２本に分割されて各々襟飾り部材２取り付けられているので、両襟止め１，１を両襟１０，１０に取り付けるのが容易であるとともに、チェーンの長さを調節できるので、種々の形状、大きさの襟１０にも対応できると共に、種々のネクタイの結び目の大きさにも対応することができる。
【００１９】
一方、各襟飾り部材２，２の螺子棹６，６を、押圧体７，７をゆるめる方向にわずかに回動させるだけで、両襟止め１，１は、両襟１０、１０から容易に取り外すことができる。
【産業上の利用可能性】
【００２０】
本発明は、襟止めを製造する産業で利用される。
【図面の簡単な説明】
【００２１】
【図１】本発明に係る襟止めの一実施の形態を示した側面図である。
【図２】図１に示した襟止めの正面図である。
【図３】図１に示した襟止めの要部拡大部分断面図である。
【図４】本発明に係る襟止めの使用状況を示す正面図である。
【符号の説明】
【００２２】
１  襟止め
２  襟飾り部材
３  チェーン
４  挟持具本体
４１  一方の辺
４２  他方の辺
４３  折れ曲がり部
５    螺子孔
６    螺子棹
６１  円柱部
７    押圧体
７１  端面
７２  孔
８    摘み部
９    装飾片
１０  襟
１１  ネクタイ
【図１】
2006006452.tif 000003
【図２】
2006006452.tif 000004
【図３】
2006006452.tif 000005
【図４】
2006006452.tif 000006